(57)【要約】  本発明は、ベルト、フード、または同様の手段の形態である可撓な担体材料に着脱可能に取り付けられ、対合側と、電気接触部材を有する接続側とを有しており、吸収性インサート、とくにはフェルトインサートが、前記対合面から突出するように設計され、固定部が前記吸収性インサートを固定する測定電極アセンブリに関する。本発明によれば、前記固定部は、焼結された塩化銀材料で構成され、あるいはそのような材料を受け入れ、前記吸収性インサートは、前記固定部へと交換可能にねじ込まれ、圧入され、係止され、押し込まれ、さらには／あるいは割り込まされる。さらに、機械式の安定化装置が、前記対合側に存在し、前記吸収性インサートを囲み、カラーおよび／または蜘蛛の脚に似た付属物の設計を有している。【選択図】図１
2016515905.tif 000002
【特許請求の範囲】
【請求項１】
バンド、ヘッドキャップ、または同様の手段の形態である可撓な担体材料（４）に着脱可能に取り付けられ、接触側および接続側を有しており、接続側には電気接触部材（５）が設けられており、吸収性インサート（６）、とくにはフェルトインサートが、前記接触側から突出するように形成され、固定部（１）が前記吸収性インサート（６）を保持する測定電極装置であって、
前記固定部（１）は、鉢状に実現され、前記吸収性インサート（６）は、前記固定部（１）の内部へと交換可能にねじ込まれ、押し込まれ、はめ込まれ、圧入され、さらには／あるいは締め付けられ、さらに前記接触側には、機械式の安定化装置が、前記吸収性インサートを直接囲み、あるいは前記固定部（１００）を囲むように設けられ、焼結された塩化銀（２）で作られるか、あるいはそのような材料を受け入れ、前記機械式の安定化装置は、スリーブ（３００）および／または蜘蛛の脚状の突出部（１０）の形状を有し、しまり嵌めおよび／または力伝達かつ交換可能なやり方で前記固定部（１００）に接続される、ことを特徴とする装置。
【請求項２】
前記固定部（１）は、焼結された塩化銀からなるインサートとして形成される、ことを特徴とする請求項１に記載の装置。
【請求項３】
前記接触部材（５）は、前記吸収性インサート（６）および／または前記焼結されたインサート（２）に電気的に接触している、ことを特徴とする請求項１または２に記載の装置。
【請求項４】
前記鉢状の固定部（１）は、前記吸収性インサート（６）の円柱状またはピン状部分を導入するための通路穴を備えている、ことを特徴とする請求項１に記載の装置。
【請求項５】
前記吸収性インサート（６）は、前記接続側まで延び、前記固定部（１）を貫き、前記接触側へと向かうベクトルを形成する力が加えられる、ことを特徴とする請求項１〜４のいずれか一項に記載の装置。
【請求項６】
前記固定部は、導電性の液体を導入するための穴（１６０）を有する底側（１１０）を備える、ことを特徴とする請求項１〜５のいずれか一項に記載の装置。
【請求項７】
前記固定部（１）は、該固定部（１）を前記バンド（４）または前記ヘッドキャップへと該バンドまたは該ヘッドキャップに存在する開口によって取り付けるために複数の部分からなる構成である、ことを特徴とする請求項１〜６のいずれか一項に記載の装置。
【請求項８】
前記固定部が前記バンド（４）またはヘッドキャップへと押しボタンの様相で取り付けられる、ことを特徴とする請求項７に記載の装置。
【請求項９】
前記スリーブおよび／または前記蜘蛛の脚状の突出部（１０）は、前記吸収性インサート（６）の自由端を前記接触側において径方向に離れて囲む、ことを特徴とする請求項１〜８のいずれか一項に記載の装置。
【請求項１０】
前記吸収性インサート（６）から出発して、前記蜘蛛の脚状の突出部（１０）は、径方向に向けられ、湾曲または球形の延在を呈している、ことを特徴とする請求項１に記載の装置。
【請求項１１】
前記スリーブ（３００）は、位置固定のための同心な突出部分および後退部分を有する可撓リングとして形成されている、ことを特徴とする請求項１〜１０のいずれか一項に記載の装置。
【請求項１２】
前記吸収性インサート（６）は、導電性の液体で含浸され、さらには／あるいは導電ゲル層を備えている、ことを特徴とする請求項１〜１１のいずれか一項に記載の装置。
【請求項１３】
前記吸収性インサート（６）は、前記固定部（１）の前記鉢状に対応して相補的であるように形成され、被験者の皮膚表面に接触させることができる、突き出しており、球形であり、半球形であり、断頭錐体の形状であり、あるいは円錐形である先端を備えている、ことを特徴とする請求項１〜１２のいずれか一項に記載の装置。
【発明の詳細な説明】
【技術分野】
【０００１】
本発明は、バンド、ヘッドキャップ、または同様の手段の形態である可撓な担体材料に着脱可能に取り付けられ、接触側および接続側を有しており、接続側には電気接触部材が設けられ、吸収性インサート、とくにはフェルトインサートが、接触側から突出するように形成され、固定部が、吸収性インサートを保持する請求項１による測定電極装置に関する。
【０００２】
電気医療装置のための電極が、ＤＥ  １  ９６５  １９５から知られている。この先行技術は、通常は導電性の液体で満たされた小さなサイズの電極スポンジを呈する電極から出発し、電極スポンジが皮膚に当接し、電極から皮膚への一様な電流の界面をもたらす。そのような電極は、吸着カップによって被験者へと固定されるか、あるいはテープによって保持され、フックとループとからなる固定具が使用されることもある。
【０００３】
電極スポンジまたはフェルト状の電極インサートを、消毒することができ、あるいは使い捨ての物品として形成することができる。ＤＥ  １  ９６５  １９５による電極は、電極ケーブルとの接続のための手段が組み合わせられた導電性の表面を片側に呈する柔軟なフィルムから出発する。さらに、この既知の装置は、好ましくはペースト状の粘度の導電性の付着手段のための担体として、低導電性または絶縁性の材料からなるパッドが、フィルムの導電性の表面に付着されることを特徴とする。パッドは、フィルムと皮膚との間に所定の接触抵抗を生じさせ、電極表面の全体にわたってフィルムと皮膚との間の一様な電流の界面を得る目的を果たす。パッドは、綿、リネン、または合成繊維、あるいは繊維紙で作られてよく、パッドは、材料結合（ｍａｔｅｒｉａｌ−ｂｏｎｄｅｄ）の様相で、材料結合が格子、リング、または点の形態にとどまり、フィルム表面の大部分が露出されるように、導電性フィルム上に固定される。しかしながら、被験者の皮膚との充分な電気的接触を生み出すために、提示の既知の電極は、最小限の表面積を呈し、かつこの表面積の全体にわたって、すなわち所定の接触圧で当接する必要がある。しかしながら、より広い接触面積が実現されるほど、再現性のある機械的な力、したがって得られる電気的状態の調節が、より難しくなる。
【０００４】
ＤＥ  １０  ２００７  ０２４  ２３８  Ａ１による自己粘着性のセンサ素子においては、センサシステムが、おそらくは目立たない様相で患者へと付着され、かつ／あるいは布地または柔軟な材料に一体化されるように意図されている。そこでの教示は、追加の恒久的な接触圧をなしで済ますことを意図している。さらに、センサ素子において、少なくとも１つのセンサ、電子要素、アクチュエータ、および／またはさらなる構成要素が存在する。表面には、自己粘着性の接続がそれぞれの粘着体から解放された後に初期の位置または初期の形態へと復帰する弾性変形可能なけば状（ｎａｐ−ｓｈａｐｅｄ）の突起が設けられる。
【０００５】
けば状の突起の表面は、少なくともそれぞれの粘着体に接触する領域において球状に湾曲するように形成される。この湾曲は、好ましくは球形であるように形成できるが、楕円あるいは他の凸状または凹状の形状に従うこともできる。
【０００６】
粘着を保証するために、けば状の突起は、特定の結合および機能の特性を備える。けば状の突起を、担体層上に直接形成することができ、あるいは好ましくは担体層へと取り外すことができないやり方で取り付けることができる。球形に湾曲したけば状の突起は、粘着体の表面に接触するときに、けば状の突起の変形によって粘着体とけば状の突起の表面との間に真空の形成を生じさせる吸着プロセスを生む。上述の自己粘着性を達成するために、上述のセンサ素子は、上述の突起が大領域の構成であることを必要とする。さらに、突起のうちの電極として有効な部分と被験者の皮膚表面との間の機械的な力の作用の再現性に関して、問題が存在する。これは、吸着力を生じさせるために必要な変形が、必然的に、接触面の変化も生じさせ、結果として接触の界面における抵抗も変化させるからである。
【発明の概要】
【発明が解決しようとする課題】
【０００７】
以上から、本発明の課題は、バンド、ヘッドキャップ、または同様の手段の形態である可撓な担体材料に着脱可能に取り付けられる測定電極装置であって、低いコストで製造でき、小型化された形態で実現でき、あらゆる状況のもとで再現性のある電気的特性、とくには被験者の皮膚表面への接触の界面の抵抗を保証するさらに発展した測定電極装置を提案することにある。
【課題を解決するための手段】
【０００８】
本発明の課題は、請求項１による特徴の組み合わせによる測定電極装置によって解決され、従属請求項が、好都合な構成およびさらなる発展を少なくとも含む。
【０００９】
したがって、本明細書における基礎は、バンド、ヘッドキャップ、または同様の手段の形態である可撓な担体材料に着脱可能に取り付けられ、接触側と電気接続側とを有している測定電極装置である。電気接続側には、電気接触部材が設けられる。吸収性インサート、とくにはフェルトインサートが、接触側から突き出すように形成される。さらに、吸収性インサートを保持する固定部が存在する。
【００１０】
吸収性インサートは、例えば点接触の電極を実現するために、円柱状またはピン状のフェルト材料からなってよい。フェルトインサートの被験者の皮膚表面と接触する側または該当の端部を、球形または半球形あるいは円錐形または断頭円錐形に形成することができる。
【００１１】
第１の実施形態によれば、固定部は、それ自身が導電性材料で形成されるか、あるいはそのような材料を受け入れる。導電性材料の随意による実施形態は、カーボン含有プラスチック、銀含有布地材料、貴金属、および塩化銀の焼結体である。
【００１２】
電極の金属が、接触ゲルおよび皮膚とともに、個々の電極間で相違する数百ミリボルトになり得る電圧を有するガルバーニ電池（ｇａｌｖａｎｉｃ  ｃｅｌｌ）を形成する。これらのガルバーニ電池の放電サイクルは、１０〜２０分となる可能性があり、測定信号から低い周波数（＜０．２Ｈｚ）を除去するフィルタによって取り除かれる。さらに、放電プロセスは一様でなく、やはりフィルタ処理を妨げるサージにて生じる。例示の塩化銀の使用は、ガルバーニ電池の電圧を最小にし、カスケード状（ｃａｓｃａｄｅ−ｌｉｋｅ）の放電挙動を軽減する。
【００１３】
吸収性インサートは、固定部へと交換可能に導入され、とくには固定部へとねじ込まれ、押し込まれ、はめ込まれ、圧入され、さらには／あるいは締め付けられる。
【００１４】
さらに、本発明によれば、接触側に、吸収性インサートおよび固定部を囲む機械式の安定化装置が設けられる。この機械式の安定化装置は、例えば、スリーブおよび／または蜘蛛の脚状の突出部の形態を有する。スリーブおよび蜘蛛の脚状の突出部を、例えば弾性またはエラストマ材料で作ることができる。安定化は、吸収性材料が接触した皮膚を横切って滑ることを防止し、かつ／または電極と皮膚との間の接触面積の大きさ、したがってインピーダンス（結果として、測定信号の振幅）が、測定の最中に変化することを防止する。さらに、接触圧の変動（インピーダンスの変化）の補償がもたらされ、被覆が吸収性インサートの速い乾燥を防止する。
【００１５】
それぞれの電極が被験者の皮膚の表面に接触させられるとき、機械式の安定化装置は、好ましくは小型化された形態で実現される電極の所定の位置を提供する。同時に、皮膚表面の引き締め、したがって改善された接触が実行される。
【００１６】
電気接触部材は、導電性の電極本体へと電気的につながり、次いでこの材料は、吸収性インサートへと電気的に接続される。関連の電気的機能の展開の目的で、吸収性インサートは、導電性の液体で含浸され、かつ／または対応する導電ゲルがもたらされる。
【００１７】
吸収性インサートが導電性の液体で含浸される場合、電極ハウジングの構成が、２つの電極の吸収性インサートがやはり液体によって含浸される可能性がある担体材料（例えば、バンド、キャップ）を介して短絡することがないように、保証する。さらに、速やかに乾燥する布地を、担体材料に使用することができる。
【００１８】
ここで、用語「吸収性インサート」が、例えば導電性の微小粒子で作られ、あるいはそのような粒子を含むことによって、それ自身が導電性であるインサートも意味することに、注意すべきである。ここで、吸収性インサートは、所望の弾性および電導性ならびに交換可能性を統合し、後者は衛生上の理由のためである。
【００１９】
固定部における吸収性インサートに関するねじ込み、締め付け、または他の固定プロセスは、吸収性インサートを使用後に取り除き、新たな衛生的に完璧なインサートと交換することを可能にする。
【００２０】
一実施形態において、固定手段は、焼結によるインサートを内部に有する中空体として形成され、吸収性インサートは、焼結によるインサートの通過穴へとねじ込まれ、押し込まれ、はめ込まれ、圧入され、さらには／あるいは締め付けられる。
【００２１】
この目的のため、通過穴は、吸収性インサートの円柱形またはピン状に形成された部分をねじ込むためのねじ山を有することができる。
【００２２】
吸収性インサートは、接触側まで延び、固定部を貫く。さらに、接触側へと向かうベクトルを形成し、したがって被験者の皮膚表面への接触の界面の抵抗を最小にする力が、吸収性インサートへと加えられる。
【００２３】
固定部としての中空体は、電気絶縁材料で作られる。
【００２４】
固定部は、好ましくは、固定部をバンドまたはヘッドキャップへとバンドまたはヘッドキャップに存在する開口によって取り付けるために複数の部分からなる構成である。好ましくは、固定部のバンドまたはヘッドキャップへの押しボタン状の固定が使用される。
【００２５】
安定化部分としてのスリーブおよび／または蜘蛛の脚状の突出部は、吸収性インサートの自由端を径方向に離れて囲む。
【００２６】
一実施形態において設けられる蜘蛛の脚状の突出部は、吸収性インサートから出発する径方向の向きを呈し、曲がりまたは球形の延在を有する。
【００２７】
曲がりまたは球形の延在は、バンドまたはヘッドキャップが被験者へと付着されるときに、突起が屈して側方へと移動し、吸収性インサートの中心から離れるように実現される。これにより、皮膚表面の引き締めが生じ、電気的接触が最適化される。ここで、機械式の安定化装置が、いかなる電気的機能も有さず、したがって非導電性材料で作られ、あるいは吸収性インサートまたは他の導電性の要素に対して絶縁されるように形成されることに、注意すべきである。
【００２８】
安定化装置のスリーブおよび／または蜘蛛の脚状の突出部は、固定部に接続されている。この接続は、固定部のバンドまたはヘッドキャップへの押しボタン状の固定と同時に達成または実現されてよい。
【００２９】
さらなる進歩的な実施形態においては、接触側において固定部から突出する吸収性インサートの自由端を、弾性キャップまたは同様の手段によって覆うことができる。これにより、キャップが固定部と吸収性インサートのそれぞれの端部との間に取り付けられることで、被験者の皮膚表面へと向かう吸収性インサートのさらなる力ベクトルを達成することができる。キャップは、キャップが固定部へと配置されて固定されるときに放出され、吸収性インサートに接触して吸収性インサートを含浸する所定の量の導電性の液体を内部に有することができる。
【００３０】
本発明の第２の実施形態においては、固定部が絶縁材料であり、鉢の形状を有する。吸収性インサートは、この実施形態においては、固定部の内部へと交換可能にねじ込まれ、押し込まれ、はめ込まれ、圧入され、さらには／あるいは締め付けられる。この実施形態においても、機械式の安定化装置が接触側に存在し、とくには固定部を囲み、しまり嵌め（ｆｏｒｍ−ｆｉｔｔｉｎｇ）および／または力伝達の様相で固定部へと取り付けられる。
【００３１】
この場合に、機械式の安定化装置は、固定部の外縁よりも突き出すが、吸収性インサートまたは吸収性インサートの先端と少なくともほぼ同一面に位置する。それぞれのスリーブは、しまり嵌めおよび／または力伝達かつ交換可能なやり方で固定部に接続され、すなわち容易に交換可能である。
【００３２】
スリーブは、同心な突出部分および後退部分を有する柔軟なリングとして実現され、同心な突出部分および後退部分は、すでに上述したように電極装置の位置を固定し、したがって電極装置を安定させる目的を果たす。これにより、格子の不正確さが防止される。
【００３３】
この実施形態において、接触部材は、吸収性インサートに直接接続され、例えば固定部の横穴を通って固定部の内部へと案内され、そこで吸収性インサートに接触することができる。
【００３４】
固定部は、導電性の液体を導入するための開口を底側に有し、導電性の液体が、この開口を介して吸収性インサートに達する。
【００３５】
吸収性インサートは、固定部の鉢状に対応して相補的であるように形成され、したがって鉢の開いた側へと導入されることができる。インサートは、可能な限り被験者の皮膚表面との点接触を確立させるために、断頭錐体の形状または円錐形の先端を備えることができるが、球形または半球形に構成されてもよい。
【００３６】
本発明を、以下で、図面および例示的な実施形態を使用して、さらに詳しく説明する。
【図面の簡単な説明】
【００３７】
【図１】第１の例示的な実施形態による本発明の測定電極装置の縦断面図を示している。
【図２】第２の例示的な実施形態による測定電極装置を縦に切断した形態の図を示している。
【図３】第３の実施形態の斜視図を分解図にて示している。
【発明を実施するための形態】
【００３８】
図面による測定電極装置は、第一に、固定部１にもとづく。この部分は、２つの部分からなる中空体として形成されてよく、焼結された塩化銀２を内部に含むことができる。
【００３９】
固定部１を、布テープ４へと、押しボタン状のやり方（参照番号３）で、布テープ４に存在する穴（ｒｅｃｅｓｓ）に取り付けることができる。例えば電極ワイヤ５の形態の接触部材が、固定部１の内部および固定部１の内部に存在する焼結された塩化銀材料まで延びている。
【００４０】
固定部１を、吸収性インサート６が貫いている。
【００４１】
また、吸収性インサート６は、焼結された塩化銀材料２に連絡している。接触側において、吸収性インサートは延出または突出し、被験者の皮膚へと向いた端部に球形７を備えている。皮膚表面は、参照番号８によって点線にて象徴的に示されており、図１による図においては、布テープ４、したがって測定電極装置の接触の完全な確立が、未だ実行されていない。
【００４２】
機械式の安定化装置９が、吸収性インサート６を、吸収性インサート６の球形に形成された部分７において囲んでいる。
【００４３】
機械式の安定化装置９は、例えば、複数の蜘蛛の脚状の突出部１０を呈し、あるいはスリーブ（図示せず）として形成される。
【００４４】
図１および２による断面図から見て取ることができるとおり、固定手段１は、中空体として実現され、吸収性インサート６が、対応する通路穴へと、図１によればねじ込まれ、図２によればはめ込まれ、あるいは締め付けられる。
【００４５】
ねじ山が、参照番号１１によって図１に破線で示されている。
【００４６】
吸収性インサート６が接触側まで延び、固定部１を貫いていることが、図から明らかである。図１によるねじ山は、接触側へと向かうベクトルを形成する力を加えることを可能にする。
【００４７】
図２による例示的な実施形態において、接触側へと向かう力ベクトルを、例えば弾性テープまたは弾性キャップ１２が吸収性インサート６を図示のとおりの矢印の方向に押すことで生成することも、同様に可能である。
【００４８】
蜘蛛の脚状の突出部１０は、吸収性インサート６の自由端を囲んでおり、すなわち被験者の皮膚表面８へと向けられた端部から径方向に離れている。個々の突出部１０は、図１および２に象徴的に見られるように、湾曲または球形の延在を有している。
【００４９】
吸収性インサート６を、すべての衛生上の要件を満たすために、固定部から容易に引き出して、新たなインサートと交換することができる。
【００５０】
第３の実施形態を分解図にて示している図３による斜視図によれば、測定電極装置は、固定部１によって構成される。ここで、固定部１は、プラスチックの射出成形部品であってよい。
【００５１】
この実施形態の固定部１は、鉢状に実現され、吸収性インサート６の押し込みならびに／あるいははめ込みまたは締め付けが可能な内部中空空間を有している。
【００５２】
図３による実施形態による固定部は、２つの構成要素、すなわち部分１および部分１００で構成される。
【００５３】
部分１の円筒形の部位の領域における外径は、下方の部分１００の内径に合わせられている。結果として、挿入されたインサートを含む部分１（上方部分）を、押しボタン状のやり方で部分１００（下方部分）へと挿入および接続することができる。同時に、布地材料２００が、上方部分１の周状の鍔１１０と下方部分１００の周状の鍔１２０との間に挟まれて保持される。布地材料２００は、頭部キャップのテープまたは電極装置を被験者の身体部分へと取り付けるための同様の手段の一部分であってよい。
【００５４】
下方の部分１００の横突起１３０が、電気接触部材５を接続するための通路穴を有している。スリーブ３００のリング部３２０を下方部分１００にかぶせることができるように、部分１３０の外寸に対応する切り欠き３１０が、スリーブ３００に形成されている。下方部分１００の拡大突起１４０が、スリーブ３００を確実に固定し、対応する環状溝（図３には示されていない）が、スリーブ３００にさらに存在することができる。
【００５５】
スリーブ３００は、取り付け状態において下方へと開いている側に向かって、例えば円錐状に開いている。スリーブ３００のこの円錐形の部分３３０において、下側の同心な突出部分および後退部分を、被験者の皮膚表面に対して装置全体の位置を固定するために設けることができる。
【００５６】
スリーブ３００を、エラストマで製造でき、とくにはゴム状材料で製造することができる。
【００５７】
上方部分１に、通路穴１６０を有する突出部１５０が、さらに位置している。この通路穴１６０を介して、吸収性インサート６に導電性の液体を含浸させることができる。
【図１】
2016515905.tif 000003
【図２】
2016515905.tif 000004
【図３】
2016515905.tif 000005
【国際調査報告】
2016515905.tif 000006
2016515905.tif 000007
2016515905.tif 000008
2016515905.tif 000009